(57)【要約】【課題】他装置からの干渉を考慮して自律的な干渉回避を行う。【解決手段】指向性制御部２０３は、指向性切替部２０４、２０７に指向性パターン情報を出力して複数系統の信号の位相を指示し、送信アンテナ２０５、受信アンテナ２０６の指向性を制御する。指向性制御部２０３は、受信品質推定部２０９により測定した受信信号の受信品質に基づき、他局宛の受信信号の受信品質を用いて、他局からの干渉の影響が減少する方向へ指向性を調整する。あるいは、自局宛の受信信号の受信品質によって受信品質が所定値以上となる方向に指向性を粗調整し、他局宛の受信信号の受信品質を用いて他局からの干渉の影響が減少する方向へ指向性を微調整する。【選択図】図２
2015159421.tif 000002
【特許請求の範囲】
【請求項１】
複数のアンテナの指向性を設定する指向性制御部と、
前記複数のアンテナの指向性を切り替える指向性切替部と、
前記複数のアンテナにより受信した受信信号の受信品質を測定する受信品質推定部と、
を有し、
前記指向性制御部は、前記受信信号のうち、他局宛の受信信号の受信品質を用いて、他局からの干渉の影響が減少する方向へ前記指向性を調整する、
無線通信装置。
【請求項２】
前記指向性制御部は、さらに、前記受信信号のうち、自局宛の受信信号の受信品質によって、前記受信品質が所定値以上となる方向に前記指向性を調整する、
請求項１記載の無線通信装置。
【請求項３】
前記指向性制御部は、
前記受信信号のうち、前記自局宛の受信信号の受信品質を用いて、前記指向性を粗調整し、
前記受信信号のうち、前記他局宛の受信信号の受信品質を用いて、前記指向性を微調整する、
請求項２記載の無線通信装置。
【請求項４】
複数のアンテナにより受信した受信信号の受信品質を測定し、
前記受信信号のうち、他局宛の受信信号の受信品質を用いて、他局からの干渉の影響が減少する方向へ指向性を調整する、
指向性制御方法。
【請求項５】
前記指向性の調整は、
他局宛の受信信号の受信品質を用いた指向性の調整の前に、
前記受信信号のうち、自局宛の受信信号の受信品質を用いて、前記受信品質が所定値以上となる方向に前記指向性を調整する、
請求項４記載の指向性制御方法。
【請求項６】
前記指向性の調整は、
前記受信信号のうち、前記自局宛の受信信号の受信品質を用いて、前記指向性を粗調整し、
前記受信信号のうち、前記他局宛の受信信号の受信品質を用いて、前記指向性を微調整する、
請求項５記載の指向性制御方法。
【発明の詳細な説明】
【技術分野】
【０００１】
本開示は、アンテナ指向性を有する無線通信装置、及び無線通信装置の指向性制御方法に関する。
【背景技術】
【０００２】
近年、高周波帯域を使用する無線通信規格の検討が進んでおり、例えば６０ＧＨｚ帯のミリ波帯を用いた規格として、無線ＰＡＮ（Personal Area Network）規格ＩＥＥＥ８０２．１５．３ｃ、無線ＬＡＮ（Local Area Network）規格ＩＥＥＥ８０２．１１ａｄが制定されている。
【０００３】
ミリ波帯では、電波特性として直進性が強く、空間減衰が大きいことから、ミリ波帯の無線通信において複数のアンテナを用いて指向性を制御するビームフォーミング技術が用いられる。上記のＩＥＥＥ８０２．１５．３ｃ規格、及びＩＥＥＥ８０２．１１ａｄ規格においても、ビームフォーミングのためのプロトコルが規定されている。ただし、どの指向性を選択するか、具体的な指向性制御方法は実装依存とされている。
【０００４】
指向性を制御するためのビームフォーミングトレーニングに関する従来技術として、特許文献１〜３が知られている。
【先行技術文献】
【特許文献】
【０００５】
【特許文献１】特表２０１２−５２４４９５号公報
【特許文献２】特許第５３０２０２４号公報
【特許文献３】特許第５０９６５７６号公報
【発明の概要】
【発明が解決しようとする課題】
【０００６】
従来では、他装置からの干渉が発生した場合、適切な指向性制御が困難であるという課題があった。
【０００７】
本開示は、他装置からの干渉を考慮して自律的な干渉回避ができる無線通信装置及び指向性制御方法を提供する。
【課題を解決するための手段】
【０００８】
本開示は、複数のアンテナの指向性を設定する指向性制御部と、前記複数のアンテナの指向性を切り替える指向性切替部と、前記複数のアンテナにより受信した受信信号の受信品質を測定する受信品質推定部と、を有し、前記指向性制御部は、前記受信信号のうち、他局宛の受信信号の受信品質を用いて、他局からの干渉の影響が減少する方向へ前記指向性を調整する、無線通信装置を提供する。
【０００９】
本開示は、複数のアンテナにより受信した受信信号の受信品質を測定し、前記受信信号のうち、他局宛の受信信号の受信品質を用いて、他局からの干渉の影響が減少する方向へ指向性を調整する、指向性制御方法を提供する。
【発明の効果】
【００１０】
本開示によれば、他装置からの干渉を考慮して自律的な干渉回避ができる。
【図面の簡単な説明】
【００１１】
【図１】指向性制御を行う複数の無線通信装置を含む無線通信システムの概略構成を示す模式図
【図２】アクセスポイント及び端末局に用いられる無線通信装置の構成を示すブロック図
【図３】指向性切替部の構成の一例を示すブロック図
【図４】指向性切替部の構成の他の例を示すブロック図
【図５】位相テーブルの一例を示す図
【図６】指向性パターン情報に対応するビームパターンを示す図であり、図６（ａ）はセクタ番号に対応したビームパターンの一例、図６（ｂ）はパターン番号に対応したビームパターンの一例を示す図
【図７】本実施形態の無線通信装置における通信開始前の指向性設定の動作手順を示すフローチャート
【図８】図７のステップＳ６０２における、アクセスポイント側の送信セクタ指向性判定の動作手順を示すフローチャート
【図９】図７のステップＳ６０３における、端末局側の送信セクタ指向性判定の動作手順を示すフローチャート
【図１０】図７のステップＳ６０４における、アクセスポイント側の受信セクタ指向性判定の動作手順を示すフローチャート
【図１１】図７のステップＳ６０５における、端末局側の受信セクタ指向性判定の動作手順を示すフローチャート
【図１２】自局のＳＬＳ期間において送信セクタ指向性判定を行う場合のパケット交換と指向性の時系列変化を示す模式図
【図１３】自局のＳＬＳ期間において受信セクタ指向性判定を行う場合のパケット交換と指向性の時系列変化を示す模式図
【図１４】他局のＳＬＳ期間においてセクタ内指向性制御を行う場合のパケット交換と指向性の時系列変化を示す模式図
【発明を実施するための形態】
【００１２】
＜本開示の各実施形態の内容に至る経緯＞
先ず、本開示に係る無線通信装置及び指向性制御方法の実施形態を説明する前に、他装置からの干渉が発生した場合の指向性制御の課題について説明する。
【００１３】
前述した特許文献１には、固定スロットを用いてビームフォーミングトレーニングを行う技術が開示されている。しかし、特許文献１では、通信相手からのパケットによりリンク品質を判定しており、通信相手以外の送信信号による干渉は考慮されていない。
【００１４】
また、特許文献２には、複数の基地局が連携して端末の指向性を制御する技術が開示されている。しかし、特許文献２では、セル間の干渉を考慮しているが、複数基地局間において干渉情報を通知し合う大規模な構成が必要となる。
【００１５】
また、特許文献３には、ピア・ツー・ピアネットワークにおいてビームフォーミングを行って干渉を回避する技術が開示されている。しかし、特許文献３では、干渉回避のメッセージ交換において、通信相手以外の干渉源とも通信ができる必要がある。
【００１６】
上記のように、従来では、干渉を考慮した指向性制御を行うためには、装置規模が大きくなる、或いは通信プロトコルのオーバーヘッドが大きくなる課題があった。
【００１７】
上記課題を鑑み、本開示では、無線通信においてアンテナ指向性を制御する場合に、少ないオーバーヘッドにより自律的な干渉回避を行う無線通信装置及び指向性制御方法の例を以下に示す。
【００１８】
＜本開示の実施形態＞
以下、図面を参照しながら本開示に係る実施形態を詳細に説明する。なお、以下の説明において用いる図について、同一の構成要素には同一の符号を付し、重複する説明を省略する。
【００１９】
（無線通信システムの概略構成）
図１は、指向性制御を行う複数の無線通信装置を含む無線通信システムの概略構成を示す模式図である。
【００２０】
無線通信システムは、アクセスポイント（ＡＰ）１０１と、第１の端末局（ＳＴＡ１）１０２、第２の端末局（ＳＴＡ２）１０４とを有する。アクセスポイント１０１、及び端末局１０２、１０４は、それぞれ送受信の指向性を制御し、無線通信を行う無線通信装置である。アクセスポイント１０１、及び端末局１０２、１０４は、指向性アンテナを有し、複数のビームパターンから通信相手に適したビームパターンを選択して通信を行う。
【００２１】
以降では、アクセスポイント（ＡＰ）１０１をアクセスポイントＡＰ、第１の端末局（ＳＴＡ１）１０２を端末局ＳＴＡ１、第２の端末局（ＳＴＡ２）１０４を端末局ＳＴＡ２と称する。
【００２２】
本開示では、アクセスポイントＡＰに対して、端末局ＳＴＡ１及び端末局ＳＴＡ２がそれぞれ通信を行う場合を想定する。アクセスポイントＡＰと端末局ＳＴＡ１及び端末局ＳＴＡ２とは、一つのネットワーク内において同期した通信が行われる。以下では、アクセスポイントＡＰと端末局ＳＴＡ１との間の通信に着目する。
【００２３】
図１において、無線信号１０７は、アクセスポイントＡＰから端末局ＳＴＡ１へ伝送される所望波の信号、無線信号１０８−１は、アクセスポイントＡＰから端末局ＳＴＡ２へ伝送される所望波の信号である。また、干渉信号１０８−２は、アクセスポイントＡＰから端末局ＳＴＡ２への無線信号が端末局ＳＴＡ１に干渉として届く干渉波の信号である。
【００２４】
アクセスポイントＡＰは、指向性制御によって複数のビームパターン１０５を設定可能である。端末局ＳＴＡ１は、指向性制御によって複数のビームパターン１０６を設定可能である。
【００２５】
例えば、アクセスポイントＡＰはビームパターン１０５の中から実線により表したビームパターン１０５−１を選択し、端末局ＳＴＡ１はビームパターン１０６の中から実線により表したビームパターン１０６−１を選択して通信する。一方、アクセスポイントＡＰは、端末局ＳＴＡ２との通信では、ビームパターン１０５の中から下から２番目の破線のビームパターン１０５−２を選択する。ここで、ビームパターン１０５−２は、端末局ＳＴＡ２の方向の無線信号１０８−１が最も受信品質が良く、例えば受信レベルが大きいため、選択される。
【００２６】
アクセスポイントＡＰ及び端末局ＳＴＡ１が無線信号１０７によって通信中に、一方でアクセスポイントＡＰ及び端末局ＳＴＡ２がビームパターン１０５−２によって通信すると、無線信号１０８−１の方向以外にも電波は放射されるため、端末局ＳＴＡ２宛ての無線信号が端末局ＳＴＡ１の方向にも放射される。
【００２７】
端末局ＳＴＡ１にとっては、端末局ＳＴＡ２への無線信号は自局宛の信号ではないため、干渉信号１０８−２として受信される。図１では、端末局ＳＴＡ１が受信中の場合の一例を示しているが、これらの干渉は、アクセスポイントＡＰ、端末局ＳＴＡ１、端末局ＳＴＡ２のそれぞれの組み合わせにおいて生じる。他局からの干渉の状態は、各無線通信装置の距離、位置によって異なるが、電波の反射によって複数経路にて無線信号が伝搬し、干渉波が他局との間の見通し方向以外に、複数方向から到来する場合がある。
【００２８】
（無線通信装置の構成）
図２は、アクセスポイント１０１、及び端末局１０２、１０４に用いられる無線通信装置の構成を示すブロック図である。
【００２９】
無線通信装置は、ＭＡＣ（Media Access Control）部２０１、送信部２０２、指向性制御部２０３、送信側の指向性切替部２０４、送信アンテナ２０５、受信アンテナ２０６、受信側の指向性切替部２０７、受信部２０８、受信品質推定部２０９を有する。
【００３０】
無線通信装置は、複数の送信アンテナ２０５を用いて複数の送信ビームパターン２１５のいずれかによって無線信号を送信し、受信アンテナ２０６を用いて複数の受信ビームパターン２１６のいずれかによって無線信号を受信する。
【００３１】
なお、図２では、送信側の指向性切替部２０４と受信側の指向性切替部２０７、送信アンテナ２０５と受信アンテナ２０６は、それぞれ別々に有する構成を図示したが、送受共用としてそれぞれ１つ有する構成にしてもよい。
【００３２】
無線通信装置の送信時には、送信データがＭＡＣ部２０１に入力されると、ＭＡＣ部２０１は、通信プロトコルにしたがって送信タイミング制御を行い、送信データのフレーム化を行って送信部２０２にデータフレームを出力する。
【００３３】
また、ＭＡＣ部２０１は、通信相手に応じた送信指向性を決定し、指向性制御部２０３に通知する。指向性制御部２０３は、決定された送信指向性を設定するための指向性パターン情報を指向性切替部２０４に出力する。
【００３４】
送信部２０２は、物理層のフォーマットにしたがって、例えば、データフレームの符号化、信号変調、プリアンブル付加を行って送信パケット化を行い、指向性切替部２０４に出力する。
【００３５】
指向性切替部２０４は、送信パケット化された送信信号を無線送信に適した高周波信号に周波数変換し、指向性制御部２０３からの指向性パターン情報に基づいて、複数のビームパターン２１５の中から選択されたビームパターンにより送信するために送信信号の振幅及び位相を制御し、複数の送信アンテナ２０５から送信する。
【００３６】
無線通信装置の受信時には、ＭＡＣ部２０１は、受信タイミングを制御し、受信処理を開始する。また、ＭＡＣ部２０１は、通信相手に応じた受信指向性を決定し、指向性制御部２０３に通知する。指向性制御部２０３は、決定された受信指向性を設定するための指向性パターン情報を指向性切替部２０７に出力する。
【００３７】
指向性切替部２０７は、指向性制御部２０３からの指向性パターン情報に基づいて、複数のビームパターン２１６の中から選択されたビームパターンにより受信するように複数の受信アンテナ２０６からの受信信号の振幅及び位相を制御し、受信部２０８による受信処理に適した周波数帯に周波数変換する。
【００３８】
受信部２０８は、周波数変換された受信信号について、物理層のフォーマットに従って、例えば、受信パケットのプリアンブル検出、周波数同期、シンボル同期、信号復調、データフレーム復号化を行う。受信部２０８は、復号後のビット列をデータフレーム化してＭＡＣ部２０１に出力する。ＭＡＣ部２０１は、受信データフレームから受信データを取り出す。
【００３９】
受信品質推定部２０９は、主にプリアンブルの既知パターンを用いて、受信信号の受信品質を推定する。受信品質推定部２０９において推定する受信品質としては、例えば受信レベル、ＲＳＳＩ（Received Signal Strength Indicator）、ＳＮＲ（Signal to Noise Ratio）、ＳＩＮＲ（Signal to Interference and Noise Ratio）、チャネルインパルスレスポンス、ノイズレベルを含む、種々の信号品質指標を用いる。
【００４０】
図３は、指向性切替部２０４の構成の一例を示すブロック図である。指向性切替部２０４は、高周波（ＲＦ：Radio Frequency）部３０１、位相テーブル３０２、複数の移相器（移相器１〜Ｎ）３０３を有する。図３の構成は、高周波帯の信号に対して移相し、指向性を設定するアナログビームフォーマーの一例である。
【００４１】
高周波部３０１は、入力される送信信号を無線送信に適した高周波信号に周波数変換する。例えば、送信信号をベースバンド帯域の信号とし、高周波信号はミリ波帯の６０ＧＨｚ帯へとアップコンバートする。あるいは、送信信号を中間周波数（ＩＦ）帯の信号、例えば５ＧＨｚ帯の信号とし、高周波信号はミリ波帯の６０ＧＨｚ帯へとアップコンバートする構成でもよい。アップコンバートされた高周波信号は、複数の移相器３０３に分配されて入力される。
【００４２】
移相器３０３は、高周波信号の位相または振幅、あるいは位相及び振幅をそれぞれ所定の値に設定し、各送信アンテナ２０５に出力する。各移相器３０３の位相、振幅の設定値は、位相テーブル３０２からの設定パラメータによって設定される。位相テーブル３０２は、指向性制御部２０３から入力される指向性パターン情報に対応した設定パラメータとして、セクタ番号、パターン番号を出力する。セクタ番号、パターン番号については後述する。移相された高周波信号は、各送信アンテナ２０５から送信される。
【００４３】
図４は、指向性切替部２０４の構成の他の例を示すブロック図である。指向性切替部２０４は、複数の移相器（移相器１〜Ｎ）４０１、位相テーブル４０２、複数の高周波部（ＲＦ部１〜Ｎ）４０３を有する。図４の構成は、ベースバンド帯の信号に対して移相し、指向性を設定するデジタルビームフォーマーの一例である。
【００４４】
入力される送信信号は複数の移相器４０１に分配される。複数の移相器４０１は、アップコンバート前の信号、例えばベースバンド帯域の信号の位相または振幅、あるいは位相及び振幅をそれぞれ所定の値に設定し、高周波部４０３に出力する。各移相器４０１の位相、振幅の設定値は、位相テーブル４０２からの設定パラメータによって設定される。位相テーブル４０２は、指向性制御部２０３から入力される指向性パターン情報に対応した設定パラメータとして、セクタ番号、パターン番号を出力する。
【００４５】
複数の高周波部４０３は、それぞれ、各移相器４０１からの出力信号を無線送信に適した高周波信号に周波数変換して出力し、各送信アンテナ２０５から送信する。
【００４６】
なお、図３及び図４では送信側の指向性切替部２０４の構成例を示したが、受信側の指向性切替部２０７についても、信号の入出力の向きを逆にした構成によって実施可能である。
【００４７】
図５は、位相テーブル３０２、４０２の一例を示す図である。図６は、指向性パターン情報に対応するビームパターンを示す図であり、図６（ａ）はセクタ番号に対応したビームパターンの一例、図６（ｂ）はパターン番号に対応したビームパターンの一例を示している。
【００４８】
セクタ番号は、ビームパターンのうちの粗い方向を決定する。例えば図６（ａ）において、セクタ番号の１番から５番の各方向にメインビームが向く５つの指向性パターンと、無指向性に近い特性をもつ０番の擬似オムニ（Quasi Omni）パターンを設定する。パターン番号は、各セクタ番号のビームの方向を細かく微調整した指向性をもたせる。
【００４９】
例えば、セクタ番号は１５０°の範囲において、３０°間隔の方向を決定し、パターン番号はセクタ番号の方向を中心として±１５°間隔の方向を決定するようにしてもよい。セクタ番号による指向性の設定角度間隔、設定角度範囲、パターン番号による指向性の調整角度間隔、調整角度範囲は、任意に適宜定義できる。また、ビームの方向以外に、利得の大小をつけるような設定としてもよい。
【００５０】
位相テーブルによって、ビームの指向性をセクタ番号とパターン番号を用いて定義し、所望のビームパターンが得られるように各移相器に設定する位相、振幅を示す設定パラメータθをあらかじめ定義する。
【００５１】
指向性制御部２０３から指向性パターン情報としてセクタ番号とパターン番号が通知されると、位相テーブルは、図５のようなパラメータテーブルからセクタ番号とパターン番号に対応する各移相器の設定パラメータθを取り出し、各移相器に出力して位相、振幅を設定する。
【００５２】
なお、上述したＭＡＣ部２０１、指向性制御部２０３、受信品質推定部２０９は、プロセッサ及びメモリを含む集積回路による情報処理回路ブロック又はコンピュータを用いて実現できる。情報処理回路ブロック又はコンピュータにおいて、所定のプログラムを実行して処理を行うことにより、各部の該当する機能を実現する。
【００５３】
（通信開始前の動作）
上記のような指向性制御部及び指向性切替部を有する無線通信装置同士が通信を行う前に、互いの指向性を合わせるビームフォーミングトレーニングを実行する。ビームフォーミングトレーニングの一例として、セクタレベルスイープ（ＳＬＳ：Sector Level Sweep）がある。
【００５４】
ＳＬＳでは、一方の無線通信装置がビームパターンのセクタを切り替えて所定のパケットを送信または受信し、他方が擬似オムニ指向性にて、パケットを受信または送信し、どのセクタから送信または受信されたパケットの通信品質が良かったかをフィードバックする。上記の手順を送受それぞれの組み合わせにおいて行うことによって、互いの指向性を通信相手局の無線通信装置に合わせる。ビームフォーミングトレーニングにより決定された互いの指向性パターンを用いて、無線通信装置は、通信相手局との間のデータ通信を開始する。
【００５５】
（本実施形態の指向性制御動作（ＳＬＳに適用した動作例））
ここで、本実施形態に係る指向性制御を用いた、通信相手局以外からの干渉信号を考慮したビームフォーミングトレーニングの例として、ＳＬＳの動作について説明する。
【００５６】
図７は、本実施形態の無線通信装置における通信開始前の指向性設定の動作手順を示すフローチャートである。図７に示す手順は、無線通信装置における指向性制御部２０３が主体的に処理を実行する。
【００５７】
無線通信装置は、まずＭＡＣ部２０１により自局のＳＬＳ期間かどうかの判定を行う（ステップＳ６０１）。自局のＳＬＳ期間の判定は、アクセスポイントＡＰから送信されるブロードキャストの制御信号によって判別可能である。ここで、自局のＳＬＳ期間である場合、ステップＳ６０２、Ｓ６０３の手順に移る。
【００５８】
ステップＳ６０２において、無線通信装置の指向性制御部２０３は、アクセスポイントＡＰ側の送信セクタ指向性判定を行う。また、ステップＳ６０３において、無線通信装置の指向性制御部２０３は、端末局ＳＴＡ側の送信セクタ指向性判定を行う。送信セクタ指向性判定では、送信側の無線通信装置がビームパターンのセクタ番号を切替えて所定パケットの通信を行い、受信側において受信レベルが最大または所定値以上となるセクタを判定する手順を実行する。
【００５９】
図８は、図７のステップＳ６０２における、アクセスポイントＡＰ側の送信セクタ指向性判定の動作手順を示すフローチャートである。図９は、図７のステップＳ６０３における、端末局ＳＴＡ側の送信セクタ指向性判定の動作手順を示すフローチャートである。
【００６０】
ステップＳ６０２のアクセスポイントＡＰ側の送信セクタ指向性判定では、アクセスポイントＡＰ側の無線通信装置が送信セクタ指向性を切り替えてパケットを送信し（ステップＳ６２１）、端末局ＳＴＡ側の無線通信装置が受信したパケットの受信レベルを測定し、測定値を保持する（ステップＳ６２２）。そして、アクセスポイントＡＰ側にて切り替える所定の送信セクタ数が終了したかを判定し（ステップＳ６２３）、所定の送信セクタ数が終了するまでステップＳ６２１、Ｓ６２２の送信セクタ切替及び受信レベル測定を繰り返す。
【００６１】
ステップＳ６２３において、所定の送信セクタ数が終了すると、受信側の端末局ＳＴＡの無線通信装置は、最大受信レベルまたは所定値以上の受信レベルとなるセクタ指向性を判定する（ステップＳ６２４）。そして、端末局ＳＴＡからアクセスポイントＡＰへ送信セクタ指向性の判定結果であるセクタ番号を通知し、ＳＬＳによるアクセスポイントＡＰ側の送信セクタ番号として互いに保持する。以上により、アクセスポイントＡＰ側の送信セクタ指向性判定を終了する。
【００６２】
ステップＳ６０３の端末局ＳＴＡ側の送信セクタ指向性判定では、端末局ＳＴＡ側の無線通信装置が送信セクタ指向性を切り替えてパケットを送信し（ステップＳ６３１）、アクセスポイントＡＰ側の無線通信装置が受信したパケットの受信レベルを測定し、測定値を保持する（ステップＳ６３２）。そして、端末局ＳＴＡ側にて切り替える所定の送信セクタ数が終了したかを判定し（ステップＳ６３３）、所定の送信セクタ数が終了するまでステップＳ６３１、Ｓ６３２の送信セクタ切替及び受信レベル測定を繰り返す。
【００６３】
ステップＳ６３３において、所定の送信セクタ数が終了すると、受信側のアクセスポイントＡＰの無線通信装置は、最大受信レベルまたは所定値以上の受信レベルとなるセクタ指向性を判定する（ステップＳ６３４）。そして、アクセスポイントＡＰから端末局ＳＴＡへ送信セクタ指向性の判定結果であるセクタ番号を通知し、ＳＬＳによる端末局ＳＴＡ側の送信セクタ番号として互いに保持する。以上により、端末局ＳＴＡ側の送信セクタ指向性判定を終了する。
【００６４】
図１２は、自局のＳＬＳ期間において送信セクタ指向性判定を行う場合のパケット交換と指向性の時系列変化を示す模式図である。ここでは、自局を端末局ＳＴＡ１とし、通信相手局であるアクセスポイントＡＰとの間においてＳＬＳを行う場合の送信セクタ指向性判定動作の一例を示す。
【００６５】
図１２では、図中上から下に時間が流れ、パケット７０１〜７０９は矢印により送信パケットの方向を示し、アクセスポイントＡＰと端末局ＳＴＡ１のそれぞれがどのビームパターンにより送受信を行ったかを示す。
【００６６】
まず、アクセスポイントＡＰが送信に用いるセクタ番号の選択について説明する。アクセスポイントＡＰは、セクタ番号１のビームパターンを用いてパケット７０１を送信する。パケット７０１には、どのセクタ番号を用いて送信したかを示す指向性パターン情報が含まれている。端末局ＳＴＡ１は、セクタ番号０（擬似オムニ）のビームパターンを用いてパケット７０１を受信し、受信パケットの受信品質、例えば受信レベルを測定して保存する。
【００６７】
次に、アクセスポイントＡＰは、セクタ番号３のビームパターンを用いてパケット７０２を送信し、端末局ＳＴＡ１は、セクタ番号０のビームパターンを用いてパケット７０２を受信し、受信パケットの受信品質を測定して保存する。さらに、アクセスポイントＡＰは、セクタ番号５のビームパターンを用いてパケット７０３を送信し、端末局ＳＴＡ１は、セクタ番号０のビームパターンを用いてパケット７０３を受信し、受信パケットの受信品質を測定して保存する。パケット７０１〜７０３の送受信は、図８におけるステップＳ６２１〜Ｓ６２３の動作に相当する。
【００６８】
端末局ＳＴＡ１は、上記受信したパケットのうち最も受信品質が良かったパケットを判定し、最良のビームパターンを選択する。あるいは、受信品質が所定値以上となるビームパターンを選択する。例えば、セクタ番号３のビームパターンを用いて送信されたパケットが最も受信品質が良かった場合に、端末局ＳＴＡ１は、セクタ番号０のビームパターンを用いてセクタ番号３の指向性パターン情報を含んだフィードバックパケット７０４をアクセスポイントＡＰへ送信して通知する。
【００６９】
アクセスポイントＡＰは、セクタ番号０のビームパターンを用いてフィードバックパケット７０４を受信し、アクセスポイントＡＰから端末局ＳＴＡ１に向けて伝送されるパケットについて、アクセスポイントＡＰ側の送信にはセクタ番号３が最適であると判断する（図８のステップＳ６２４）。
【００７０】
次に、端末局ＳＴＡ１側が送信に用いるセクタ番号の選択について説明する。まず、端末局ＳＴＡ１は、セクタ番号１のビームパターンを用いてパケット７０５を送信する。パケット７０５には、上記のパケット７０１〜７０３と同様、どのセクタ番号を用いて送信したかを示す指向性パターン情報が含まれている。アクセスポイントＡＰは、セクタ番号０のビームパターンを用いてパケット７０５を受信し、受信パケットの受信品質、例えば受信レベルを測定して保存する。
【００７１】
次に、端末局ＳＴＡ１は、セクタ番号３のビームパターンを用いてパケット７０６を送信し、アクセスポイントＡＰは、セクタ番号０のビームパターンを用いてパケット７０６を受信し、受信パケットの受信品質を測定して保存する。さらに、端末局ＳＴＡ１は、セクタ番号５のビームパターンを用いてパケット７０７を送信し、アクセスポイントＡＰは、セクタ番号０のビームパターンを用いてパケット７０７を受信し、受信パケットの受信品質を測定して保存する。パケット７０５〜７０７の送受信は、図９におけるステップＳ６３１〜Ｓ６３３の動作に相当する。
【００７２】
アクセスポイントＡＰは、上記受信したパケットのうち最も受信品質が良かったパケットを判定し、最良のビームパターンを選択する。あるいは、受信品質が所定値以上となるビームパターンを選択する。例えば、セクタ番号３のビームパターンを用いて送信されたパケットが最も受信品質が良かった場合に、アクセスポイントＡＰは、セクタ番号０のビームパターンを用いてセクタ番号３の指向性パターン情報を含んだフィードバックパケット７０８を端末局ＳＴＡ１へ送信して通知する。
【００７３】
端末局ＳＴＡ１は、セクタ番号０のビームパターンを用いてフィードバックパケット７０８を受信し、端末局ＳＴＡ１からアクセスポイントＡＰに向けて伝送されるパケットについて、端末局ＳＴＡ１側の送信にはセクタ番号３が最適であると判断する（図９のステップＳ６３４）。
【００７４】
以上の動作により、アクセスポイントＡＰと端末局ＳＴＡ１の双方において、送信側の最適なビームパターンが選択され、送信セクタ指向性を示すパターン情報としてセクタ番号が設定される。図１２の例において、データ通信を開始する場合、送信時には、アクセスポイントＡＰ、端末局ＳＴＡ１においてセクタ番号３のビームパターンが選択され、パケット７０９の送受がなされる。
【００７５】
図７に戻り、続いて、無線通信装置は、自局のＳＬＳ期間において、ステップＳ６０４、Ｓ６０５の手順を実行する。
【００７６】
ステップＳ６０４において、無線通信装置の指向性制御部２０３は、アクセスポイントＡＰ側の受信セクタ指向性判定を行う。また、ステップＳ６０５において、無線通信装置の指向性制御部２０３は、端末局ＳＴＡ側の受信セクタ指向性判定を行う。受信セクタ指向性判定では、受信側の無線通信装置がビームパターンのセクタ番号を切替えて所定パケットの通信を行い、受信側において受信レベルが最大または所定値以上となるセクタを判定する手順を実行する。
【００７７】
図１０は、図７のステップＳ６０４における、アクセスポイントＡＰ側の受信セクタ指向性判定の動作手順を示すフローチャートである。図１１は、図７のステップＳ６０５における、端末局ＳＴＡ側の受信セクタ指向性判定の動作手順を示すフローチャートである。
【００７８】
ステップＳ６０４のアクセスポイントＡＰ側の受信セクタ指向性判定では、アクセスポイントＡＰ側の無線通信装置が受信セクタ指向性を切り替えて端末局ＳＴＡ側から送信されるパケットを受信し（ステップＳ６４１）、受信したパケットの受信レベルを測定し、測定値を保持する（ステップＳ６４２）。そして、アクセスポイントＡＰ側にて切り替える所定の受信セクタ数が終了したかを判定し（ステップＳ６４３）、所定の受信セクタ数が終了するまでステップＳ６４１、Ｓ６４２の受信セクタ切替及び受信レベル測定を繰り返す。
【００７９】
ステップＳ６４３において、所定の受信セクタ数が終了すると、アクセスポイントＡＰの無線通信装置は、最大受信レベルまたは所定値以上の受信レベルとなるセクタ指向性を判定する（ステップＳ６４４）。そして、アクセスポイントＡＰから端末局ＳＴＡへ受信セクタ指向性の判定結果であるセクタ番号を通知し、ＳＬＳによるアクセスポイントＡＰ側の受信セクタ番号として互いに保持する。以上により、アクセスポイントＡＰ側の受信セクタ指向性判定を終了する。
【００８０】
ステップＳ６０５の端末局ＳＴＡ側の受信セクタ指向性判定では、端末局ＳＴＡ側の無線通信装置が受信セクタ指向性を切り替えてアクセスポイントＡＰから送信されるパケットを受信し（ステップＳ６５１）、受信したパケットの受信レベルを測定し、測定値を保持する（ステップＳ６５２）。そして、端末局ＳＴＡ側にて切り替える所定の受信セクタ数が終了したかを判定し（ステップＳ６５３）、所定の受信セクタ数が終了するまでステップＳ６５１、Ｓ６５２の受信セクタ切替及び受信レベル測定を繰り返す。
【００８１】
ステップＳ６５３において、所定の受信セクタ数が終了すると、端末局ＳＴＡの無線通信装置は、最大受信レベルまたは所定値以上の受信レベルとなるセクタ指向性を判定する（ステップＳ６５４）。そして、端末局ＳＴＡからアクセスポイントＡＰへ受信セクタ指向性の判定結果であるセクタ番号を通知し、ＳＬＳによる端末局ＳＴＡ側の受信セクタ番号として互いに保持する。以上により、端末局ＳＴＡ側の受信セクタ指向性判定を終了する。
【００８２】
図１３は、自局のＳＬＳ期間において受信セクタ指向性判定を行う場合のパケット交換と指向性の時系列変化を示す模式図である。ここでは、自局を端末局ＳＴＡ１とし、通信相手局であるアクセスポイントＡＰとの間においてＳＬＳを行う場合の受信セクタ指向性判定動作の一例を示す。
【００８３】
図１３では、図１２と同様、図中上から下に時間が流れ、パケット７１１〜７１９は矢印により送信パケットの方向を示し、アクセスポイントＡＰと端末局ＳＴＡ１のそれぞれがどのビームパターンを用いて送受信を行ったかを示す。
【００８４】
アクセスポイントＡＰが受信に用いるセクタ番号の選択について説明する。まず、端末局ＳＴＡ１は、セクタ番号０（擬似オムニ）のビームパターンを用いてパケット７１１を送信し、アクセスポイントＡＰは、セクタ番号１のビームパターンを用いてパケット７１１を受信し、受信パケットの受信品質、例えば受信レベルを測定して保存する。パケット７１１には、どのセクタ番号を用いて送信したかを示す指向性パターン情報が含まれている。
【００８５】
次に、端末局ＳＴＡ１は、セクタ番号０のビームパターンを用いてパケット７１２を送信し、アクセスポイントＡＰは、セクタ番号３のビームパターンを用いてパケット７１２を受信し、受信パケットの受信品質を測定して保存する。さらに、端末局ＳＴＡ１は、セクタ番号０のビームパターンを用いてパケット７１３を送信し、アクセスポイントＡＰは、セクタ番号５のビームパターンを用いてパケット７１３を受信し、受信パケットの受信品質を測定して保存する。パケット７１１〜７１３の送受信は、図１０におけるステップＳ６４１〜Ｓ６４３の動作に相当する。
【００８６】
アクセスポイントＡＰは、上記受信したパケットのうち最も受信品質が良かったパケットを判定し、最良のビームパターンを選択する。あるいは、受信品質が所定値以上となるビームパターンを選択する。例えば、セクタ番号３のビームパターンを用いて受信したパケットが最も受信品質が良かった場合に、アクセスポイントＡＰは、セクタ番号０のビームパターンを用いてセクタ番号３の指向性パターン情報を含んだフィードバックパケット７１４を端末局ＳＴＡ１へ送信して通知する。
【００８７】
端末局ＳＴＡ１は、セクタ番号０のビームパターンを用いてフィードバックパケット７１４を受信し、端末局ＳＴＡ１からアクセスポイントＡＰに向けて伝送されるパケットについて、アクセスポイントＡＰ側の受信にはセクタ番号３が最適であると判断する（図１０のステップＳ６４４）。
【００８８】
次に、端末局ＳＴＡ１が受信に用いるセクタ番号の選択について説明する。アクセスポイントＡＰは、セクタ番号０のビームパターンを用いてパケット７１５を送信し、端末局ＳＴＡ１は、セクタ番号１のビームパターンを用いてパケット７１５を受信し、受信パケットの受信品質、例えば受信レベルを測定して保存する。パケット７１５には、上記のパケット７１１〜７１３と同様、どのセクタ番号を用いて送信したかを示す指向性パターン情報が含まれている。
【００８９】
次に、アクセスポイントＡＰは、セクタ番号０のビームパターンを用いてパケット７１６を送信し、端末局ＳＴＡ１は、セクタ番号３のビームパターンを用いてパケット７１６を受信し、受信パケットの受信品質を測定して保存する。さらに、アクセスポイントＡＰは、セクタ番号０のビームパターンを用いてパケット７１７を送信し、端末局ＳＴＡ１は、セクタ番号５のビームパターンを用いてパケット７１７を受信し、受信パケットの受信品質を測定して保存する。パケット７１５〜７１７の送受信は、図１１におけるステップＳ６５１〜Ｓ６５３の動作に相当する。
【００９０】
端末局ＳＴＡ１は、上記受信したパケットのうち最も受信品質が良かったパケットを判定し、最良のビームパターンを選択する。あるいは、受信品質が所定値以上となるビームパターンを選択する。例えば、セクタ番号３のビームパターンを用いて受信したパケットが最も受信品質が良かった場合に、端末局ＳＴＡ１は、セクタ番号０のビームパターンを用いてセクタ番号３の指向性パターン情報を含んだフィードバックパケット７１８をアクセスポイントＡＰへ送信して通知する。
【００９１】
アクセスポイントＡＰは、セクタ番号０のビームパターンを用いてフィードバックパケット７１８を受信し、アクセスポイントＡＰから端末局ＳＴＡ１に向けて伝送されるパケットについて、端末局ＳＴＡ１側の受信にはセクタ番号３が最適であると判断する（図１１のステップＳ６５４）。
【００９２】
以上の動作により、アクセスポイントＡＰと端末局ＳＴＡ１の双方において、受信側の最適なビームパターンが選択され、受信セクタ指向性を示すパターン情報としてセクタ番号が設定される。図１３の例において、データ通信を開始する場合、受信時には、アクセスポイントＡＰ、端末局ＳＴＡ１においてセクタ番号３のビームパターンが選択され、パケット７１９の送受がなされる。
【００９３】
なお、図７において、ステップＳ６０２、Ｓ６０３、Ｓ６０４、Ｓ６０５の各手順を行う順番は任意である。
なお、図１２、図１３において、セクタ番号の選択について説明したが、セクタ番号が決定した後に、さらにパターン番号の選択を実施することにより、受信特性が向上する。
【００９４】
無線通信装置は、自局のＳＬＳ期間においてステップＳ６０２〜Ｓ６０５を実行し、通信相手局との間において受信品質が最良となる送信側と受信側のビームパターンを決定する。そして、無線通信装置は、送信時と受信時にそれぞれ設定したセクタ番号のビームパターンとなるよう通信用のセクタ指向性を切り替える（ステップＳ６１１）。以上により、無線通信装置における通信開始前のＳＬＳが終了する。
【００９５】
（干渉信号を用いた指向性制御動作）
一方、図７において、ステップＳ６０１にてＭＡＣ部２０１が自局のＳＬＳ期間ではないと判定した場合、ＭＡＣ部２０１は、続いて他局の通信期間かどうかの判定を行う（ステップＳ６０７）。他局の通信期間としては、例えば、他局がＳＬＳを行っている期間、または、他局が帯域予約により優先的に通信を行っている期間を判定する。
【００９６】
ステップＳ６０７において、他局の通信期間である場合、端末局ＳＴＡ側の無線通信装置は、受信部２０８により他局の通信の傍受を行い、受信品質推定部２０９により干渉信号となる他局宛の受信信号の受信品質、例えば受信レベルの測定を行う（ステップＳ６０８）。
【００９７】
他局宛の信号は、受信信号のフォーマットが同じ場合、受信部２０８が、例えば、受信信号のプリアンブル又はヘッダを解析することによって判別可能である。なお、受信信号のフォーマットが異なっている場合は自局宛の信号ではないことから干渉信号と判断する。
【００９８】
次に、端末局ＳＴＡ側の無線通信装置は、測定した干渉信号の受信品質に基づいて、指向性制御部２０３により干渉信号の受信レベルを低減するセクタ内指向性パターンの判定を行う（ステップＳ６０９）。
【００９９】
セクタ内指向性パターンの判定において、指向性制御部２０３は、指向性切替部２０７に通知する指向性パターン情報のパターン番号を変更してセクタ内においてビームパターンを細かく変更し、干渉の影響が減少する方向として、干渉レベルが低減する方向に特性改善するようなビーム指向性の判定を行う。
【０１００】
そして、端末局ＳＴＡ側の無線通信装置は、指向性判定結果に従って、干渉の影響が減少するようセクタ内の指向性パターンを切り替える（ステップＳ６１０）。このとき、指向性制御部２０３は、指向性パターン情報のパターン番号を設定変更し、干渉レベル低減方向に指向性を微調整することで、端末局ＳＴＡ側のセクタ内のビームパターンを切り替える。指向性の微調整を行う場合、例えば、複数のパターン番号のビームパターンを順番に切り替えて干渉の影響が小さい最良のパターン番号を選択する、あるいは、干渉レベルが所定閾値以下となるパターン番号を選択する、といった方法を用いる。
【０１０１】
その後、無線通信装置は、ステップＳ６０７に戻り、他局の通信が続く期間はステップＳ６０７〜Ｓ６１０の処理を繰り返し、干渉レベルが低減する方向に指向性を制御する。例えば、他局の通信期間内において、自局への干渉の影響が一番少なくなるように、指向性を調整する。
【０１０２】
また、無線通信装置は、ステップＳ６０１、Ｓ６０７において、自局のＳＬＳ期間でも他局の通信期間でもない場合は、図７の処理を終了する。
【０１０３】
図１４は、他局のＳＬＳ期間においてセクタ内指向性制御を行う場合のパケット交換と指向性の時系列変化を示す模式図である。ここでは、自局を端末局ＳＴＡ１、他局を端末局ＳＴＡ２とし、端末局ＳＴＡ２がアクセスポイントＡＰとの間においてＳＬＳを行っている場合のセクタ内指向性制御動作の一例を示す。
【０１０４】
図１４では、図１２及び図１３と同様、図中上から下に時間が流れ、パケット８０１〜８０９は矢印により送信パケットの方向を示し、アクセスポイントＡＰと端末局ＳＴＡ１及びＳＴＡ２のそれぞれがどのビームパターンを用いて送受信を行ったかを示す。
【０１０５】
アクセスポイントＡＰと端末局ＳＴＡ２は、図１２及び図１３と同様に、セクタ番号１、３、５とビームパターンを順次切り替え、パケット８０１、８０２、８０３、８０５、８０６、８０７の送受を行い、最も受信品質が良いパケットを判定し、最良のビームパターンを選択する。そして、フィードバックパケット８０４、８０８によって選択したセクタ番号の指向性パターン情報を通信相手局に通知する。
【０１０６】
ここでは、アクセスポイントＡＰと端末局ＳＴＡ２において送信セクタ指向性判定を行う場合を示し、例えば、アクセスポイントＡＰがセクタ番号５、端末局ＳＴＡ２がセクタ番号１をそれぞれ最適なビームパターンとして選択している。このとき、端末局ＳＴＡ１は、既にアクセスポイントＡＰとのＳＬＳを終了しており、受信側のビームパターンとしてセクタ番号３を選択している。
【０１０７】
端末局ＳＴＡ１は、他局の通信期間として端末局ＳＴＡ２のＳＬＳの開始を判定すると、アクセスポイントＡＰと端末局ＳＴＡ２との間において送受されるパケットを傍受する。例えば、アクセスポイントＡＰから端末局ＳＴ２へパケット８０２が送信され、端末局ＳＴＡ２にてパケット８０２−１として受信される一方、パケット８０２−２として端末局ＳＴＡ１においても受信される。
【０１０８】
端末局ＳＴＡ１では、受信したパケット８０２−２が自局宛のパケットではないことから、自局における干渉パケット（干渉信号）と判定する。このとき、端末局ＳＴＡ１は、干渉信号の受信品質、例えば受信レベルを測定し、干渉の影響が減少する方向、例えば干渉信号の受信レベルが低減する方向の指向性パターンの判定を行い、指向性を微調整する。ここでは、端末局ＳＴＡ１は、干渉信号の受信レベルを低減させるための指向性の微調整としてパターン番号３−１を選択し、他局宛のパケットの受信を続ける。
【０１０９】
また、アクセスポイントＡＰから端末局ＳＴＡ２へパケット８０３が送信されると、端末局ＳＴＡ２にてパケット８０３−１として受信される一方、端末局ＳＴＡ１にて干渉パケット８０３−２として受信する。前回と同様に、端末局ＳＴＡ１は、干渉の影響が減少する方向の指向性パターンの判定を行う。ここでは、前回と同一のパターン番号３−１を選択した状態である。
【０１１０】
次に、端末局ＳＴＡ２からアクセスポイントＡＰへパケット８０５が送信され、アクセスポイントＡＰにてパケット８０５−１として受信される一方、端末局ＳＴＡ１において干渉パケット８０５−２として受信される。端末局ＳＴＡ２からの送信でも、端末局ＳＴＡ１は、干渉の影響が減少する方向の指向性パターンの判定を行う。ここでは、干渉信号の受信レベルを低減させるための指向性の微調整としてパターン番号３−２を選択する。
【０１１１】
以降、端末局ＳＴＡ２とアクセスポイントＡＰがＳＬＳを終了してデータ通信が開始され、アクセスポイントＡＰからパケット８０９が送信されると、端末局ＳＴＡ２ではセクタ番号１のビームパターンでパケット８０９−１が受信される。一方、端末局ＳＴＡ１では、干渉パケット８０９−２が受信されるが、パターン番号３−２のビームパターンの選択により、干渉信号の受信レベルが低減されている状態となる。
【０１１２】
上記のように、端末局ＳＴＡ１は、他局の通信期間において、干渉レベルが低減する方向への指向性微調整を随時行い、干渉を考慮した微調整後の指向性のパターン番号を決定する。
【０１１３】
上述したように、本実施形態の無線通信装置及び指向性制御方法では、通信開始前のビームフォーミングトレーニングを行う場合に、他局の通信期間において、干渉信号となる他局宛の通信信号を受信し、干渉の影響が減少する方向へ指向性を微調整する。このような本実施形態の指向性制御によって、少ないオーバーヘッドで他装置からの干渉を考慮した自律的な干渉回避を行える。
【０１１４】
また、本実施形態によれば、受信品質が良好となる指向性の判定において、例えば所望波と干渉波が合成されることにより、受信レベルが高くなって干渉が多くなる方向の指向性が誤選択されることを抑制でき、少ないオーバーヘッドを用いて自律的な干渉回避を行うことができる。
【０１１５】
本開示に係る実施形態の種々の態様として、以下のものが含まれる。
【０１１６】
本開示の無線通信装置は、複数のアンテナの指向性を設定する指向性制御部と、前記複数のアンテナの指向性を切り替える指向性切替部と、前記複数のアンテナにより受信した受信信号の受信品質を測定する受信品質推定部と、を有し、前記指向性制御部は、前記受信信号のうち、他局宛の受信信号の受信品質を用いて、他局からの干渉の影響が減少する方向へ前記指向性を調整する。
【０１１７】
また、上記の無線通信装置であって、前記指向性制御部は、さらに、前記受信信号のうち、自局宛の受信信号の受信品質によって、前記受信品質が所定値以上となる方向に前記指向性を調整する、ものであってもよい。
【０１１８】
また、上記の無線通信装置であって、前記指向性制御部は、前記受信信号のうち、前記自局宛の受信信号の受信品質を用いて、前記指向性を粗調整し、前記受信信号のうち、前記他局宛の受信信号の受信品質を用いて、前記指向性を微調整する、ものであってもよい。
【０１１９】
本開示の指向性制御方法は、複数のアンテナにより受信した受信信号の受信品質を測定し、前記受信信号のうち、他局宛の受信信号の受信品質を用いて、他局からの干渉の影響が減少する方向へ指向性を調整する。
【０１２０】
また、上記の指向性制御方法であって、前記指向性の調整は、他局宛の受信信号の受信品質を用いた指向性の調整の前に、前記受信信号のうち、自局宛の受信信号の受信品質を用いて、前記受信品質が所定値以上となる方向に前記指向性を調整する、ものであってもよい。
【０１２１】
また、上記の指向性制御方法であって、前記指向性の調整は、前記受信信号のうち、前記自局宛の受信信号の受信品質を用いて、前記指向性を粗調整し、前記受信信号のうち、前記他局宛の受信信号の受信品質を用いて、前記指向性を微調整する、ものであってもよい。
【０１２２】
以上、図面を参照しながら各種の実施形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、開示の趣旨を逸脱しない範囲において、上記実施形態における各構成要素を任意に組み合わせてもよい。
【０１２３】
上記各実施形態では、本開示を、ハードウェアを用いて構成する場合を例にとって説明したが、本開示はハードウェアとの連携においてソフトウェアでも実現可能である。
【０１２４】
また、上記各実施形態の説明に用いた各機能ブロックは、典型的には集積回路であるＬＳＩとして実現される。これらは個別に１チップ化されてもよいし、各機能ブロックの一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１２５】
また、集積回路化の手法にはＬＳＩに限らず、専用回路または汎用プロセッサを用いて実現してもよい。ＬＳＩ製造後に、プログラム可能なＦＰＧＡ（Ｆｉｅｌｄ  Ｐｒｏｇｒａｍｍａｂｌｅ  Ｇａｔｅ  Ａｒｒａｙ）、又は、ＬＳＩ内部の回路セルの接続、設定が再構成可能なリコンフィグラブル・プロセッサーを利用してもよい。
【０１２６】
さらには、半導体技術の進歩または派生する別技術によりＬＳＩに置き換わる集積回路化の技術が登場すれば、当然、別技術を用いて機能ブロックの集積化を行ってもよい。バイオ技術の適用等が可能性としてありえる。
【０１２７】
なお、本開示は、無線通信装置において実行される指向性制御方法として表現することが可能である。また、本開示は、指向性制御方法を実行する機能を有する装置としての指向性制御装置、あるいは指向性制御方法または指向性制御装置をコンピュータにより動作させるためのプログラムとして表現することも可能である。すなわち、本開示は、装置、方法及びプログラムのうちいずれのカテゴリーにおいても表現可能である。
【産業上の利用可能性】
【０１２８】
本開示は、他装置からの干渉を考慮して自律的な干渉回避ができる効果を有し、例えば自律的に指向性制御を行い、データ通信を行うミリ波無線通信の無線装置、及び無線装置に用いる指向性制御方法等として有用である。
【符号の説明】
【０１２９】
１０１  アクセスポイント（ＡＰ）
１０２  第１の端末局（ＳＴＡ１）
１０４  第２の端末局（ＳＴＡ２）
２０１  ＭＡＣ（Media Access Control）部
２０２  送信部
２０３  指向性制御部
２０４  送信側の指向性切替部
２０５  送信アンテナ
２０６  受信アンテナ
２０７  受信側の指向性切替部
２０８  受信部
２０９  受信品質推定部
３０１  高周波（ＲＦ）部
３０２、４０２  位相テーブル
３０３、４０１  移相器（移相器１〜Ｎ）
４０３  高周波部（ＲＦ部１〜Ｎ）
【図１】
2015159421.tif 000003
【図２】
2015159421.tif 000004
【図３】
2015159421.tif 000005
【図４】
2015159421.tif 000006
【図５】
2015159421.tif 000007
【図６】
2015159421.tif 000008
【図７】
2015159421.tif 000009
【図８】
2015159421.tif 000010
【図９】
2015159421.tif 000011
【図１０】
2015159421.tif 000012
【図１１】
2015159421.tif 000013
【図１２】
2015159421.tif 000014
【図１３】
2015159421.tif 000015
【図１４】
2015159421.tif 000016